(57)【要約】【課題】無線タグは読み取り出力を小さくして他の情報との干渉を避けることが必要であり、読み取り位置を正確に容易に分かるようにする必要がある。【解決手段】バーコード１２又はそれに相当する記号を印刷したシール１０に無線タグの位置を示すマーク１１をつけるか、又は無線タグが配置されている位置に、マーク１１をバーコード１２又はそれに相当する記号と共に印刷する。また、無線タグを付した製品を梱包した箱の、内部の無線タグを取付けた部分に対応する表面位置にバーコード又はそれに相当する記号のラベルを貼着する。バーコードリーダと無線タグ読取装置の何れでも、従来と同様に使用でき、感覚的にもなじみがよい。【選択図】        図１
2004191481.tif 000002
【特許請求の範囲】
【請求項１】
バーコード又はそれに相当する記号印刷位置に対応する位置に無線タグを配設することを特徴とする無線タグの位置表示方法。
【請求項２】
無線タグが配置されている位置に、これを示すマークをバーコード又はそれに相当する記号と共に印刷することを特徴とする無線タグの位置表示方法。
【請求項３】
無線タグを付した製品を梱包した箱の、内部の無線タグを取付けた部分に対応する表面位置にバーコード又はそれに相当する記号のラベルを貼着することを特徴とする無線タグの位置表示方法。
【発明の詳細な説明】
【０００１】
【発明の属する技術分野】
本発明は、無線タグの位置表示方法に関し、さらに詳しくは、無線タグを取付けた製品の梱包箱に表示する無線タグの読取位置表示方法に関する。
【０００２】
【従来の技術】
最近、無線タグを用いて、個別情報を識別する技術が各所で使用されている。無線タグはＩＣカードの機能に、データの無線通信機能を付加したもので、ＩＣの作動電力を無線で得ると共に内臓データを外部に出力する機能を備えたものである。この無線タグに個別情報を入力しておき、これを製品に添着して製品の管理を行うことができる。商品や荷物などの物体に取り付けられ、固有の情報を外部から非接触で読み取って、物体の認識や仕分けを行う無線タグの改良技術が示されている（例えば、特許文献１参照。）。
【０００３】
このような無線タグを取付けた製品等は近時小型化しつつあり、無線タグの読み取り出力をあまり大きくすることができない。大きくすると他の製品の情報も拾ってしまうからである。また、無線タグが賞用されつつあるとはいえ、まだ、従来のバーコードによる情報の読み取り、又は数字の目視による読み取りに対応している場合もかなり多い。
【０００４】
【特許文献１】
特開平１０−１６２２６２号公報
【０００５】
【発明が解決しようとする課題】
無線タグの読み取り出力を小さくして他の情報との干渉を避けるようにするためには、その製品等の個別の無線タグ読み取り位置を外箱表面の解り易い場所に表示する必要がある。このような無線タグの位置表示は、無線タグの利用に馴れている人や、従来のバーコード管理を引き続き行っている人など、過度期にある多数の関係者にも感覚的に非常になじむようにする必要がある。
【０００６】
本発明はこのような観点に鑑み、適切な無線タグの位置表示方法を提供することを目的とするものである。
【０００７】
【課題を解決するための手段】
本発明は、上記問題点を解決した無線タグの位置表示方法であって、その第１の技術手段は、バーコード又はそれに相当する記号印刷位置に対応する位置に無線タグを配設することを特徴とする無線タグの位置表示方法である。バーコード又はそれに相当する記号とは、バーコード又はバーコードと同様の目的と作用を付与するために用いられる英文字、和文字、数字、ロゴ、キャラクタ、記事その他のマークをいう。
【０００８】
また、本発明の第２の技術手段は、無線タグが配置されている位置に、これを示すマークをバーコード又はそれに相当する記号と共に印刷することを特徴とする無線タグの位置表示方法である。
【０００９】
さらに、無線タグを付した製品を梱包した箱の、内部の無線タグを取付けた部分に対応する表面位置にバーコード又はそれに相当する記号のラベルを貼着することを特徴とする無線タグの位置表示方法を提供する。
【００１０】
出荷元の工場あるいは大倉庫では、無線タグを使用して各種の情報を容易に管理することができ、大きな恩恵を被っている。一方、出荷先の倉庫や小売店にても対応できるよう無線タグの位置に対応するマークとして、特に、従来から用いられているバーコードを付けることにより、バーコードリーダでも無線タグ読取装置でも、従来と同様の操作によって、バーコードの読み取りも無線タグの読み取りも容易にできる。
【００１１】
【発明の実施の形態】
以下図面を参照して本発明の実施の形態を説明する。
【００１２】
図１は本発明の一実施例を示す個装箱１の斜視図である。この個装箱１の外面にシール１０が添着されている。シール１０には、無線タグが埋込まれていることを示すマーク（例えばＲＦＩＤと印字されている）１１、バーコード１２、その他の記事１３等が印刷されている。バーコード１２は製品のシリアル番号等個体を識別する情報を含んでいる。内蔵している無線タグには製品の情報とシリアル番号等の個別情報の両方共が入っている。このシール１０部分に、無線タグ読取装置を近接させると無線タグの保有情報を読み取ることができ、従来のバーコード管理を行っている場合にはバーコード読取装置をこのシールに近接させることによってシリアル番号等を認知することができる。なお、製品の個別識別バーコード２０を、図１に示すように、上記シール１０と別に取付けてあってもよい。
【００１３】
図２は、無線タグ入りシール１０の読取範囲を示す説明図で、個装箱１をシール１０添付面の側方から見た図である。無線タグの読取範囲３０はシール１０から５〜１０ｃｍ程度の狭い範囲に設定する。このことによって、無線タグ情報の相互衝突を防止することができる。
【００１４】
図３は無線タグを埋込んだシール１０の他の例を示すもので、マーク１１は無線タグに対応するマークであって形状、種類を問わない。バーコード１２、その他の情報１３はシリアル番号等を表示するものであり、さらに製品を示す情報１４，１５が印刷されている。
【００１５】
無線タグを貼着、埋め込み、その他の手段により製品に取付けることにより、大量に品物（製品）をさばく必要がある部門、例えば出荷元や出荷先では、製品管理が容易となり、多大な恩恵を受ける。また、出荷先では従来通りのバーコードとして用いることができると共に、無線タグを用いるときには印が付いているので、無線タグの存在を容易に確認することができ、違和感なくその位置を認識することができる。
【００１６】
【発明の効果】
本発明によれば、無線タグ対応のマークと従来のバーコードとを併用表示することとしたので、無線タグを利用して、大量に製品をさばく出荷元では管理が非常に容易となる。また出荷先では、従来通りのバーコードを管理用に用いることができるとともに、無線タグを用いるときにバーコードがついているシールによって無線タグの存在を確認することができ、無線タグ取付場所を違和感なく探し出すことができる。
【図面の簡単な説明】
【図１】実施例の個装箱の外面を示す斜視図である。
【図２】実施例の個装箱のシールの側方から見た図である。
【図３】無線タグを埋込んだシールの記載例を示す説明図である。
【符号の説明】
１    個装箱
１０    シール
１１    マーク
１２    バーコード
１３    その他の記事
１４、１５    製品を示す情報
２０    バーコード
３０    読取範囲
【図１】
2004191481.tif 000003
【図２】
2004191481.tif 000004
【図３】
2004191481.tif 000005